(57)【要約】【課題】ワイヤーハーネスの分岐部を容易に保護できるようにすることを目的とする。【解決手段】ワイヤーハーネス１０は、複数の電線が分岐部１４で分岐するように束ねられることにより構成されたワイヤーハーネス本体部１２と、分岐部保護部材２０とを備える。分岐部保護部材２０は、分岐部１４を挟込んだ状態で分岐部１４に固定される一対の挟込部２２を含む。一対の挟込部２２は、不織部材がホットプレスされることにより形成されると共に、それぞれの内面が凹凸形状に形成されている。【選択図】図１
2013161548.tif 000002
【特許請求の範囲】
【請求項１】
複数の電線が分岐部で分岐するように束ねられることにより構成されたワイヤーハーネス本体部と、
前記分岐部を挟込んだ状態で前記分岐部に固定される一対の挟込部を含み、前記一対の挟込部は不織部材がホットプレスされることにより形成されている、分岐部保護部材と、
を備えるワイヤーハーネス。
【請求項２】
請求項１記載のワイヤーハーネスであって、
前記一対の挟込部の内面が凹凸形状に形成されている、ワイヤーハーネス。
【請求項３】
請求項１又は２記載のワイヤーハーネスであって、
前記一対の挟込部のそれぞれの外面がそれぞれの前記内面よりも硬くなるようにホットプレスされている、ワイヤーハーネス。
【請求項４】
請求項１〜請求項３のいずれか１つに記載のワイヤーハーネスであって、
前記分岐部保護部材は、前記一対の挟込部を開閉可能に連結するヒンジ部をさらに含む、ワイヤーハーネス。
【請求項５】
請求項１〜請求項４のいずれか１つに記載のワイヤーハーネスであって、
前記一対の挟込部の内面は、複数の突出部分が間隔をあけて設けられた形状に形成されている、ワイヤーハーネス。
【請求項６】
請求項１〜請求項４のいずれか１つに記載のワイヤーハーネスであって、
前記一対の挟込部の内面は、前記分岐部から延出する少なくとも一方向への配線部分の延在方向に沿った突条部を有する形状に形成されている、ワイヤーハーネス。
【請求項７】
請求項１〜請求項４のいずれか１つに記載のワイヤーハーネスであって、
前記一対の挟込部の内面は、前記分岐部から延出する少なくとも一方向への配線部分の延在方向に交差する突条部を有する形状に形成されている、ワイヤーハーネス。
【請求項８】
請求項１〜請求項４のいずれか１つに記載のワイヤーハーネスであって、
前記一対の挟込部の内面は、波線状の突出部を有する形状に形成されている、ワイヤーハーネス。
【請求項９】
請求項１〜請求項８のいずれか１つに記載のワイヤーハーネスであって、
前記一対の挟込部は、結束部材によって前記分岐部から延出する配線部分に結束されている、ワイヤーハーネス。
【請求項１０】
請求項１〜請求項９のいずれか１つに記載のワイヤーハーネスであって、
前記一対の挟込部に、前記分岐部から延出する配線部分に沿って延びる固定片が一体形成され、結束部材によって前記固定片が前記配線部分に結束されている、ワイヤーハーネス。
【請求項１１】
複数の電線が分岐部で分岐するように束ねられることにより構成されたワイヤーハーネス本体部の前記分岐部に固定される分岐部保護部材であって、
前記分岐部を挟込み可能な一対の挟込部を備え、前記一対の挟込部は、不織部材がホットプレスされることにより形成されている、分岐部保護部材。
【発明の詳細な説明】
【技術分野】
【０００１】
この発明は、ワイヤーハーネスの分岐部を保護する技術に関する。
【背景技術】
【０００２】
一般的に、ワイヤーハーネスは、複数の電線を適宜分岐させつつ結束することにより形成される。ワイヤーハーネスの分岐部が、敷設対象となる箇所に存在する周辺部材と接触するような場合には、その分岐部に厚肉な粘着テープが巻かれることがある。巻付けられた粘着テープは、他の部材が電線に直接接触することを抑制すると共に、分岐形状を一定に保つことで、前記分岐部を保護する。
【発明の概要】
【発明が解決しようとする課題】
【０００３】
しかしながら、上記分岐部の保護構造では、ワイヤーハーネスの分岐部の形状に沿って粘着テープを巻付ける必要があるため、その作業性が悪い。
【０００４】
そこで、本発明は、ワイヤーハーネスの分岐部を容易に保護できるようにすることを目的とする。
【課題を解決するための手段】
【０００５】
上記課題を解決するため、第１の態様に係るワイヤーハーネスは、複数の電線が分岐部で分岐するように束ねられることにより構成されたワイヤーハーネス本体部と、前記分岐部を挟込んだ状態で前記分岐部に固定される一対の挟込部を含み、前記一対の挟込部は不織部材がホットプレスされることにより形成されている、分岐部保護部材とを備える。
【０００６】
第２の態様は、第１の態様に係るワイヤーハーネスであって、前記一対の挟込部の内面が凹凸形状に形成されている。
【０００７】
第３の態様は、第１又は第２の態様に係るワイヤーハーネスであって、前記一対の挟込部のそれぞれの外面がそれぞれの前記内面よりも硬くなるようにホットプレスされている。
【０００８】
第４の態様は、第１〜第３のいずれか１つの態様に係るワイヤーハーネスであって、前記分岐部保護部材は、前記一対の挟込部を開閉可能に連結するヒンジ部をさらに含む。
【０００９】
第５の態様は、第１〜第４のいずれか１つの態様に係るワイヤーハーネスであって、前記一対の挟込部の内面は、複数の突出部分が間隔をあけて設けられた形状に形成されている。
【００１０】
第６の態様は、第１〜第４のいずれか１つの態様に係るワイヤーハーネスであって、前記一対の挟込部の内面は、前記分岐部から延出する少なくとも一方向への配線部分の延在方向に沿った突条部を有する形状に形成されている。
【００１１】
第７の態様は、第１〜第４のいずれか１つの態様に係るワイヤーハーネスであって、前記一対の挟込部の内面は、前記分岐部から延出する少なくとも一方向への配線部分の延在方向に交差する突条部を有する形状に形成されている。
【００１２】
第８の態様は、第１〜第４のいずれか１つの態様に係るワイヤーハーネスであって、前記一対の挟込部の内面は、波線状の突出部を有する形状に形成されている。
【００１３】
第９の態様は、第１〜第８のいずれか１つの態様に係るワイヤーハーネスであって、前記一対の挟込部は、結束部材によって前記分岐部から延出する配線部分に結束されている。
【００１４】
第１０の態様は、第１〜第９のいずれか１つの態様に係るワイヤーハーネスであって、前記一対の挟込部に、前記分岐部から延出する配線部分に沿って延びる固定片が一体形成され、結束部材によって前記固定片が前記配線部分に結束されている。
【００１５】
第１１の態様は、複数の電線が分岐部で分岐するように束ねられることにより構成されたワイヤーハーネス本体部の前記分岐部に固定される分岐部保護部材であって、前記分岐部を挟込み可能な一対の挟込部を備え、前記一対の挟込部は、不織部材がホットプレスされることにより形成されている。
【発明の効果】
【００１６】
第１の態様に係るワイヤーハーネスによると、一対の挟込部が分岐部を挟込む構成によって、当該分岐部を保護することができる。また、一対の挟込部が前記分岐部を挟んだ状態に維持すればよいため、分岐部に粘着テープを巻付けていく作業等よりも容易に、ワイヤーハーネスの分岐部を保護できる。
【００１７】
第２の態様によると、一対の挟込部の内面に凹凸形状が形成されているため、分岐部をより確実に一定の分岐形態に維持するように保護することができる。
【００１８】
第３の態様によると、一対の挟込部の内面を分岐部の分岐形態に倣って変形させて、分岐部を一体の分岐形態に維持することができる。また、一対の挟込部のうち比較的硬く形成された外面によって、分岐部を保護することができる。
【００１９】
第４の態様によると、分岐部保護部材を一体化された部品として取扱うことができる。
【００２０】
第５の態様によると、一対の挟込部の内面は、複数の突出部分が間隔をあけて設けられた形状に形成されているため、種々の分岐形態に対応できる。
【００２１】
第６の態様によると、分岐部から延出する少なくとも１つの配線部分の延在方向に沿った突条部を有する形状に形成されているため、前記配線部分を突条部によってより確実に一定位置に維持できる。
【００２２】
第７の態様によると、突条部分を前記配線部分に強く押し当てて一定位置に維持することができる。
【００２３】
第８の態様によると、波線状の突出部をワイヤーハーネス本体部に押し当てて分岐部の分岐形態を一定に維持することができる。
【００２４】
第９の態様によると、一対の挟込部を結束部材によってワイヤーハーネスに固定することができる。
【００２５】
第１０の態様によると、挟込部から延出する固定片を配線部分に結束することによって、一対の挟込部を配線部分に固定できる。
【００２６】
第１１の態様に係る分岐部保護部材によると、分岐部を一対の挟込部で挟込んだ状態で固定することによって、当該分岐部を保護することができる。一対の挟込部が前記分岐部を挟んだ状態に維持すればよいため、分岐部に粘着テープを巻付けていく作業等よりも容易に、ワイヤーハーネスの分岐部を保護できる。
【図面の簡単な説明】
【００２７】
【図１】実施形態に係るワイヤーハーネスを示す部分平面図である。
【図２】図１のＩＩ−ＩＩ線概略断面図である。
【図３】図１のＩＩＩ−ＩＩＩ線概略断面図である。
【図４】挟込部を示す概略斜視図である。
【図５】挟込部の製造例を示す図である。
【図６】一対の挟込部の変形例を示す概略平面図である。
【図７】図６のＶＩＩ−ＶＩＩ線における部分断面図である。
【図８】一対の挟込部の他の変形例を示す概略斜視図である。
【図９】一対の挟込部のさらに他の変形例を示す概略斜視図である。
【図１０】一対の挟込部のさらに他の変形例を示す概略斜視図である。
【発明を実施するための形態】
【００２８】
以下、実施形態に係るワイヤーハーネス及び分岐部保護部材について説明する。図１は実施形態に係るワイヤーハーネス１０を示す部分平面図であり、図２は図１のＩＩ−ＩＩ線概略断面図であり、図３は図１のＩＩＩ−ＩＩＩ線概略断面図である。
【００２９】
ワイヤーハーネス１０は、ワイヤーハーネス本体部１２と、分岐部保護部材２０とを備える。
【００３０】
ワイヤーハーネス本体部１２は、複数の電線１３が分岐部１４で分岐するように束ねられることにより構成されている。具体的には、複数の電線１３は、配設対象となる車両への配線形態に応じて分岐しつつ結束された構成とされている。結束は、粘着テープ、結束タイ等を用いて行われる。ワイヤーハーネス本体部１２の端部には図示省略のコネクタが接続されている。各コネクタが制御ユニット、各種センサ、モータ等の電気機器に接続されることで、車両に搭載された各種電気器がワイヤーハーネス本体部１２を介して電気的に接続される。なお、ワイヤーハーネス本体部１２に対して、他の光ケーブル等が結束されていてもよい。
【００３１】
このワイヤーハーネス本体部１２は、少なくとも１つの分岐部１４を有している。図１では、分岐部１４から３つの配線部分１５ａ、１５ｂ、１５ｃがＹ字状に分岐している。ここでは、１つの配線部分１５ａの電線１３が２つの配線部分１５ｂ、１５ｃに分岐する態様、即ち、１つの配線部分１５ａが最も太く（電線１３の本数も最も多い）、他の２つの配線部分１５ｂ、１５ｃがこれよりも細くなっている態様を示している。ここでは、上記分岐部１４に分岐部保護部材２０を取付ける例で説明するが、ワイヤーハーネス本体部１２が他の分岐部を有している場合に、当該分岐部にここで説明する構成と同様構成が適用されてもよいし、適用されなくてもよい。
【００３２】
分岐部保護部材２０は、一対の挟込部２２を備えている。図４は挟込部２２を示す概略斜視図である。
【００３３】
図１〜図４に示すように、各一対の挟込部２２は、分岐部１４及び当該分岐部１４から延出する配線部分１５ａ、１５ｂ、１５ｃを挟込み可能な形状に形成されている。ここでは、各挟込部２２は、平面視において、方形状部２２ａの一端部に、扇状部２２ｂの頂点側に相当する部分が一体的に連結された形状に形成されている。そして、一対の挟込部２２で分岐部１４を挟込んだ状態では、一対の方形状部２２ａの間で配線部分１５ａが挟込まれ、一対の方形状部２２ａ及び扇状部２２ｂとの間に分岐部１４の分岐中心が挟込まれる。また、一対の扇状部２２ｂの間に配線部分１５ｂ、１５ｃが挟込まれる。この扇状部２２ｂでは、各配線部分１５ｂ、１５ｃは扇状部２２ｂの両側の半径に相当する縁部に沿って延在して、Ｖ字状に分岐する。これにより、分岐部１４が一対の挟込部２２により挟込まれ、その保護が図られている。
【００３４】
また、各挟込部２２には、分岐部１４から延出する配線部分１５ｂ、１５ｃに沿って延びる固定片２２ｃが一体形成されている。ここでは、後述するように、扇状部２２ｂの弧状部分から配線部分１５ｂ、１５ｃが外方に延出するので、扇状部２２ｂの弧状部分から外方に延出するようにして２つの固定片２２ｃが延出している。ここでは、固定片２２ｃは、細長方形状に形成されており、その幅寸法は、配線部分１５ｂ、１５ｃの直径よりも小さい。
【００３５】
上記一対の挟込部２２は、不織部材がホットプレスされることにより形成されている。ここで、不織部材としては、加熱工程を経ることにより硬くなることが可能なものを用いることができる。このような不織部材として、基本繊維と、これと絡み合う接着樹脂（バインダとも呼ばれる）とを含むものを用いることができる。接着樹脂は、基本繊維の融点よりも低い融点（例えば、１１０℃〜１１５℃）を有する樹脂である。不織部材を基本繊維の融点よりも低くかつ接着樹脂の融点よりも高い加工温度に加熱すると、接着樹脂が溶融して基本繊維間に染込む。その後、不織部材が接着樹脂の融点よりも低い温度になると、基本繊維同士を結合した状態で接着樹脂が固化する。これより、不織部材が加熱前の状態よりも硬くなり、加熱時の成形形状に維持される。
【００３６】
ただし、基本繊維は、接着樹脂の融点で繊維状態を保ち得る繊維であればよく、樹脂繊維の他、各種繊維を用いることができる。また、接着樹脂としては、基本繊維の融点よりも低い融点を持つ熱可塑性樹脂繊維を用いることができる。接着樹脂は、粒状であっても繊維状であってもよい。また、芯繊維の外周に接着樹脂層を形成してバインダ繊維を構成し、これを基本繊維と絡み合わせるようにしてもよい。この場合の芯繊維としては、上記基本繊維と同材料のものを用いることができる。
【００３７】
基本繊維と接着樹脂の組み合わせとしては、基本繊維をＰＥＴ（ポリエチレンテレフタレート）の樹脂繊維とし、接着樹脂をＰＥＴとＰＥＩ（ポリエチレンイソフタレート）の共重合樹脂とした例が挙げられる。この場合、基本繊維の融点はおよそ２５０℃であり、接着樹脂の融点は１１０℃〜１５０℃である。このため、不織部材を１１０℃〜２５０℃の温度に加熱すると、接着樹脂が溶融し、溶融せずに繊維状を保つ基本繊維間に染込む。そして、不織部材が接着樹脂の融点よりも低い温度になると、基本繊維同士を結合した状態で接着樹脂が固化し、上記成形形状の維持を行う。
【００３８】
また、ホットプレスとは、不織部材に対する加熱処理及び不織部材を型に押付けて所定形状に形成する処理を施すことをいう。加熱処理と所定形状への形成処理とは、同時に行われてもよいし、或は、連続的に別々に行われてもよい。この実施形態に係る挟込部２２を製造するのに適したホットプレス加工の例については後に説明する。
【００３９】
上記一対の挟込部２２のうち、分岐部１４を挟込んだ状態で対向する内面は、凹凸形状を有する凹凸面２３に形成されている。ここでは、複数の突出部分２３ａが間隔をあけて設けられた形状に成されている。より具体的には、突出部分２３ａは、突出方向に沿った縦断面がサインカーブを描く形状に形成されており、また、複数の突出部分２３ａは、縦横に等間隔で並ぶように形成されている。もっとも、突出部分は、円柱状或は多角柱状、錐形状、半球状等、その他の突起形状であってもよい。また、複数の突出部分は、不規則に間隔をあけて散在する態様等、その他の態様で設けられていてもよい。また、各突出部分の高さは揃っていてもよいし、不揃いであってもよい。
【００４０】
ここで、図５を参照して上記挟込部２２の製造例について説明しておく。
【００４１】
上記挟込部２２は、ホットプレス用成形型５０を用いてホットプレスされる。ホットプレス用成形型５０は、下型５２と、上型６０とを備える。
【００４２】
下型５２は、熱伝導性に優れた金属等により形成された厚板状部材であり、その一主面（上面）に下型面５３が形成されている。下型面５３は、概略的には、上方に開口する凹形状に形成されている。下型面５３の底面は、挟込部２２の外面に対応する形状に形成され、下型面５３の内周面は、挟込部２２の外周囲の面に対応する形状に形成されている。下型面５３の深さは例えば１５ｍｍとするとよい。
【００４３】
上型６０は、熱伝導性に優れた金属等により形成された厚板状部材であり、その一主面（下面）のうち上記下型面５３の開口に対応する領域に、凹凸面６３が形成されている。凹凸面６３は、上記凹凸面２３に対応する形状に形成されている。凹凸面２３の凹みの深さ（凹凸面２３の凸部分の頂点と凹部分の底との寸法差）は、上記下型面５３の深さと同じ、例えば、１５ｍｍにするとよい。
【００４４】
そして、この凹凸面６３が下型面５３の開口を閉塞するように配置されることにより、凹凸面６３と下型面５３との間で、挟込部２２を形成可能なスペースが形成される。なお、下型５２及び上型６０には、ヒーター等の加熱機構６６が設けられている。
【００４５】
上記挟込部２２を形成するにあたっては、まず、製造後の挟込部２２の厚みよりも大きい厚みのシート状の不織部材を準備し、これを下型面５３内に配設可能な形状に切断して、所定形状の不織部材７０を準備する。不織部材７０は、下型面５３よりも大きくてもよい。
【００４６】
そして、この不織部材７０を下型面５３内に配設した後、上型６０を下型面５３に向けて移動させて、下型面５３の開口に上型６０の凹凸面６３を配設する。この状態で、ホットプレス用成形型５０内で不織部材７０をホットプレスする。即ち、下型面５３と凹凸面６３との間で不織部材７０を加圧した状態で、当該不織部材７０を加熱する。
【００４７】
そして、この後、不織部材が冷却されると、不織部材の表面が下型面５３及び凹凸面６３の形状に応じた形状で硬化する。すなわち、下型面５３の底部（外面）は平坦な形状に加工され、凹凸面６３（内面）はその凹凸形状に対応する凹凸面２３に加工される。
【００４８】
なお、各挟込部２２の内面（分岐部１４を挟込んだ状態で内側の面）は、それぞれの外面（分岐部１４を挟込んだ状態で外側の面）よりも硬くなるようにホットプレスされていることが好ましい。挟込部２２の内面と外面との硬さ調整は、例えば、下型５２及び上型６０の加熱温度或は加熱時間の少なくとも１つを調整することにより行うことができる。すなわち、下型５２の加熱温度を、上型６０の加熱温度よりも高くすれば、挟込部２２の外面側で接着樹脂がよく溶融し、挟込部２２の外面を硬くすることができる。また、下型５２の加熱機構６６による加熱時間を、上型６０の加熱機構６６による加熱時間よりも長くすれば、挟込部２２の外面側で接着樹脂がよく溶融し、挟込部２２の外面を硬くすることができる。
【００４９】
上記一対の挟込部２２は、分岐部１４を挟込んだ状態で当該分岐部１４に固定される。ここでは、次のようにして一対の挟込部が分岐部１４に固定されている。
【００５０】
まず、一対の挟込部２２が分岐部１４を挟込んだ状態で、一対の方形状部２２ａが配線部分１５ａを挟込んでいる。そこで、一対の方形状部２２ａの外周に粘着テープ４０が巻回される。この際、方形状部２２ａを配線部分１５ａの外周に沿って変形させるように、粘着テープ４０をきつく巻付けることが好ましい（図３参照）。これにより、一対の挟込部２２の方形状部２２ａが配線部分１５ａに対して結束される。
【００５１】
また、一対の扇状部２２ｂのそれぞれから延出する各固定片２２ｃが配線部分１５ｂ、１５ｃを挟込んだ状態で当該配線部分１５ｂ、１５ｃに沿って配設されている。そこで、配線部分１５ｂ、１５ｃのそれぞれを挟込む一対の固定片２２ｃに粘着テープ４０が巻回される。これにより、一対の固定片２２ｃのそれぞれが、配線部分１５ｂ、１５ｃに結束される。
【００５２】
上記により、一対の挟込部２２が分岐部１４を挟込んだ状態で当該分岐部１４に固定される。なお、一対の挟込部２２を配線部分１５ａ、１５ｂ、１５ｃに結束するための結束部材は、上記粘着テープ４０に限られない。その他、結束部材として、結束タイ等を用いてもよい。また、一対の挟込部２２の端縁部同士が、超音波溶着或は加熱溶着等によって溶着されることによって、一対の挟込部２２が分岐部１４に固定されてもよい。
【００５３】
上記のように一対の挟込部２２が分岐部１４を挟込んだ状態では、それぞれの内面の凹凸面２３が分岐部１４及びそこから延出する配線部分１５ａ、１５ｂ、１５ｃの外周面に押付けられている。一対の挟込部２２は、ホットプレスされたとしても、ある程度は柔らかいので、突出部分２３ａのうち分岐部１４、配線部分１５ａ、１５ｂ、１５ｃに押付けられるものは高さが低くなるように変形する。そして、突出部分２３ａのうち分岐部１４、配線部分１５ａ、１５ｂ、１５ｃの周りを取囲むものは、ある程度の高さを維持した状態で対向する凹凸面２３に押し当てられる。このようにして、一対の挟込部２２の凹凸面２３に分岐部１４、配線部分１５ａ、１５ｂ、１５ｃに応じた凹みが形成されると共にその周りが突出部分２３ａで囲まれるので、一対の挟込部２２の間で分岐部１４及び配線部分１５ａ、１５ｂ、１５ｃが一定の形態に維持される。
【００５４】
以上のように構成されたワイヤーハーネス１０によると、一対の挟込部２２で分岐部１４を挟込んだ状態で一対の挟込部２２を分岐部１４に固定することで、当該分岐部１４を保護することができる。この際、保護部材である挟込部２２は、粘着テープ４０よりも容易に厚くすることができ、また、ホットプレスの際の加熱温度を高くしたり、加熱時間を長くすることで、容易に硬くすることができる。このため、例えば、車両パネルのエッジと強干渉するような場合でも、分岐部１４をより確実に保護することができる。
【００５５】
また、一対の挟込部２２が分岐部１４を挟込んだ状態を維持するようにすればよいため、分岐部１４に粘着テープを巻付けていく作業等よりも容易に当該分岐部１４を保護することができる。
【００５６】
例えば、一対の挟込部２２の方形状部２２ａが配線部分１５ａを挟込んだ状態で、粘着テープ４０等の結束部材を用いて結束することで、挟込部２２の固定を容易に行える。
【００５７】
また、例えば、一対の固定片２２ｃが配線部分１５ｂ又は１５ｃを挟込んだ状態で、粘着テープ４０等の結束部材を用いて結束することでも、挟込部２２の固定を容易に行える。
【００５８】
また、一対の挟込部２２の内面に凹凸面２３が形成されているため、その突出部分２３ａによって分岐部１４の分岐形態をより確実に維持することができ、これにより、分岐部１４を一定の分岐形態に維持するように保護することができる。
【００５９】
特に、一対の挟込部２２の内面は、複数の突出部分２３ａが間隔をあけて設けられた形状に形成されているため、配線部分１５ａ、１５ｂ、１５ｃの延出方向、太さ等が変ったとしても、突出部分２３ａを分岐部１４、配線部分１５ａ、１５ｂ、１５ｃの外周に配設してその分岐形態を維持することができ、種々の分岐形態への汎用性に優れる。
【００６０】
また、一対の挟込部２２の外面が内面よりも硬く形成されているため、挟込部２２の内面を分岐部１４の分岐形態に倣って容易に変形させて分岐部１４をより確実に一定の形態に維持しつつ、比較的硬く形成された挟込部２２の外面によって分岐部１４をより確実に保護することができる。
【００６１】
なお、上記実施形態では、一対の挟込部２２が別体として形成された例で説明したが、図６及び図７に示す変形例のように、一対の挟込部２２に対応する一対の挟込部１２２がヒンジ部１２３によって開閉可能に連結されていてもよい。
【００６２】
なお、挟込部１２２は、その一側部が直線状に形成されている点を除いて、上記挟込部２２と同様構成とされている。ヒンジ部１２３は、一対の挟込部１２２の前記直線状の側部間に設けられている。ヒンジ部１２３は、他の部分よりも十分に薄く形成されており、容易に曲げ変形できるようになっている。ヒンジ部１２３は、例えば、ホットプレスする際に、十分に薄くなるようにすることで形成される。この際、ヒンジ部１２３を形成する部分では、元の不織部材自体の厚みを小さくしておくことが好ましい。そして、一対の挟込部１２２が、ヒンジ部１２３を介して１８０度開いた状態又は内面を突合わせるように閉じた状態に開閉されるようになる。この変形例に係る一対の挟込部１２２についても、上記実施形態と同様にして、分岐部１４に固定される。この変形例では、一対の挟込部１２２を一体化された一部品として取扱うことができるため、その部品管理及び取付け作業が容易となる。
【００６３】
また、一対の挟込部の内面に形成される凹凸面の形状は上記例に限られない。
【００６４】
図８に示す変形例のように、一対の挟込部２２に対応する一対の挟込部２２２の内面は、分岐部１４から延出する少なくとも一方向への配線部分（ここでは、全ての配線部分１５ａ、１５ｂ、１５ｃ）への延在方向に沿った突条部２２３ａを有する形状に形成されていてもよい。
【００６５】
この変形例によると、一対の挟込部２２２が分岐部１４を挟込んだ状態で、いずれかの突条部２２３ａがその長手方向ほぼ全体に亘って配線部分１５ａ、１５ｂ、１５ｃに当接してその側方への位置ずれを抑制する。これにより、配線部分１５ａ、１５ｂ、１５ｃをより確実に一定位置に維持することができる。
【００６６】
特に、突条部２２３ａの幅寸法を、配線部分１５ａ、１５ｂ、１５ｃにおける各電線間の隙間に入り込む程度の寸法とすることによって、突条部２２３ａが配線部分１５ａ、１５ｂ、１５ｃに食込み易くなり、配線部分１５ａ、１５ｂ、１５ｃをより確実に一定位置に維持することができる。
【００６７】
また、図９に示す変形例のように、一対の挟込部２２に対応する一対の挟込部３２２の内面は、分岐部１４から延出する少なくとも一方向への配線部分（ここでは、全ての配線部分１５ａ、１５ｂ、１５ｃ）への延在方向に交差する突条部３２３ａを有する形状に形成されていてもよい。ここでは、突条部３２３ａは、１つの配線部分１５ａに対して直交する方向に延在している。
【００６８】
この変形例によると、一対の挟込部３２２が分岐部１４を挟込んだ状態で、ほぼ全ての突条部３２３ａがその長手方向中間部で配線部分１５ａ、１５ｂ、１５ｃに強く当接し、その側方への位置ずれを抑制する。これにより、配線部分１５ａ、１５ｂ、１５ｃをより確実に一定位置に維持することができる。
【００６９】
また、図１０に示す変形例のように、一対の挟込部２２に対応する一対の挟込部４２２の内面は、波線状の突出部分４２３ａを有する形状に形成されていてもよい。ここでは、波剪除の突出部分４２３ａは、配線部分（ここでは、全ての配線部分１５ａ、１５ｂ、１５ｃ）への延在方向に交差するように形成されている。
【００７０】
この変形例によると、波線状の突出部分４２３ａを配線部分１５ａ、１５ｂ、１５ｃに押し当てて分岐部１４の分岐形態を一定に維持することができる。特に、この変形例では、突出部分４２３ａは波線状を描いているため、その延在方向に沿って配線部分１５ａ、１５ｂ、１５ｃが突出部分４２３ａに引っ掛かり易く、配線部分１５ａ、１５ｂ、１５ｃが位置ずれし難い。
【００７１】
特に、突出部分４２３ａが配線部分１５ａ、１５ｂ、１５ｃに対して交差する方向に延在するように形成することで、種々の径及び延出方向の配線部分１５ａ、１５ｂ、１５ｃに対して、波線状の突出部分４２３ａがより確実に引っ掛かる。このため、分岐部１４の分岐態様に対する汎用性に優れる。
【００７２】
なお、挟込部の内面は凹凸面に形成されていなくてもよい。この場合でも、一対の挟込部２２の内面を柔らかく（特に、外面よりも柔らかく）形成しておき、一対の挟込部で分岐部を挟込む際に、当該分岐部の形態に応じて一対の挟込部の内面を変形させることで、当該分岐部を一定の形態に維持しつつ保護することができる。
【００７３】
また、上記実施形態及び変形例では、分岐部１４は３つに分岐する例で説明したが、４つ以上に分岐していてもよい。
【００７４】
また、挟込部２２の平面形状は上記例に限られず、三角形状、四角形状、放射形状、星形等、各種形状を採用できる。
【００７５】
なお、上記実施形態及び各変形例で説明した各構成は、相互に矛盾しない限り適宜組合わせることができる。
【００７６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７７】
１０  ワイヤーハーネス
１２  ワイヤーハーネス本体部
１３  電線
１４  分岐部
１５ａ、１５ｂ、１５ｃ  配線部分
２０  分岐部保護部材
２２、１２２、２２２、３２２、４２２  挟込部
２２ｃ  固定片
２３  凹凸面
２３ａ、４２３ａ  突出部分
２２３ａ、３２３ａ  突条部
４０  粘着テープ
７０  不織部材
１２３  ヒンジ部
【図１】
2013161548.tif 000003
【図２】
2013161548.tif 000004
【図３】
2013161548.tif 000005
【図４】
2013161548.tif 000006
【図５】
2013161548.tif 000007
【図６】
2013161548.tif 000008
【図７】
2013161548.tif 000009
【図８】
2013161548.tif 000010
【図９】
2013161548.tif 000011
【図１０】
2013161548.tif 000012